(57)【要約】      （修正有）【課題】収納箱用の引出しが自然に滑り出る事を防止し、又、引き出すときも円滑かつ完全に引き出すことができる防滑構造を提供する。【解決手段】収納箱体１０は底板１１と、複数の支承素子１２と、上板素子１３と、からなる。引き出し２０は収納箱体の容置空間に入れられ、底板上方両側に滑板を設置し、底板上方の滑槽１１１前端の一側に凸体１１２を設置する。引き出し底面の両側後方は凸部２１を形成する。本構造は、引き出しを収納箱体の容置空間に入れる時、引き出しの凸部が底板の滑槽内部に設置され、引き出しを引き出す時、滑槽前端部の停止作用を受けて、引き出しの防滑効果を達成し、且つ、引き出しを引き出す時、底板の凸体により引き出しを上に引いて、挟角を生成し、引き出しを円滑、完全に引き出すことができる。【選択図】図２
0003150377.tif 000002
【実用新案登録請求の範囲】
【請求項１】
収納箱滑槽の防滑構造であって、収納箱体は底板と、複数の支承素子と、上板素子と、からなり、前記引き出しは前記収納箱体の容置空間に入れられ、その特徴は、
底板上方両側に滑板を設置し、且つ、前記底板上方の滑槽前端の一側に凸体を設置し、前記引き出し底面の両側後方は凸部を形成し、
本構造は、前記引き出しを前記収納箱体の容置空間に入れる時、前記引き出しの凸部が前記底板の滑槽内部に設置され、前記引き出しを引き出す時、前記滑槽前端部の停止作用を受けて、前記引き出しの防滑効果を達成し、且つ、前記引き出しを引き出す時、前記底板の凸体により引き出しを上に引いて、挟角を生成し、前記引き出しを円滑、完全に引き出すことができることを特徴とする収納箱滑槽の防滑構造。
【請求項２】
前記凸体は半円形状であることを特徴とする請求項１に記載の収納箱滑槽の防滑構造。  
【請求項３】
前記引き出し底部は複数の補強リブを設置することを特徴とする請求項１に記載の収納箱滑槽の防滑構造。
【考案の詳細な説明】
【技術分野】
【０００１】
本考案は、収納箱滑槽の防滑構造に関するものであって、特に、収納箱底板の滑槽が引き出しを引き出す時に防滑効果を達成する防滑構造に関する。
【背景技術】
【０００２】
現在、収納業界で製造される収納箱体構造は、所定高度の主体と容置空間に設置される一つ、或いは、それ以上の引き出しからなり、構成される箱体により、収納機能を提供する。
公知の収納箱体は使用時に、以下のような欠点が生じやすい。箱体を入れる引き出しは通常、定位構造がなく、収納箱体の移動時に、引き出しが外に滑り出し、引き出し内の物品が落ちる。公知の収納箱体は引き出しの引き出し時に防滑機能がない。収納箱体は数個の引き出しを入れる時、下向けの圧力が増加し、最下面の引き出しが収納箱体を離れる時、圧力により下に沈んで、引き出しが引き出せる空間が小さくなり、容置空間中から完全に引き出すことが出来ない。
【考案の概要】
【考案が解決しようとする課題】
【０００３】
本考案は、収納箱滑槽の防滑構造を提供し、引き出しを引き出す時の防滑効果を達成し、底板の凸体により引き出しを上に引き、挟角を生成して、引き出しが円滑、完全に引き出せるようにすることを目的とする。
【課題を解決するための手段】
【０００４】
本考案の収納箱滑槽の防滑構造は、収納箱体が、底板と、複数の支承素子と、上板素子と、からなる。引き出しは収納箱体の容置空間に入れられ、底板上方両側に滑板を設置し、底板上方の滑槽前端の一側に凸体を設置する。引き出し底面の両側後方は凸部を形成する。本構造は、引き出しを収納箱体の容置空間に入れる時、引き出しの凸部が底板の滑槽内部に設置され、引き出しを引き出す時、滑槽前端部の停止作用を受けて、引き出しの防滑効果を達成し、且つ、引き出しを引き出す時、底板の凸体により引き出しを上に引いて、挟角を生成し、引き出しを円滑、完全に引き出すことができる。
【考案の効果】
【０００５】
本考案は、引き出し底面に凸部を設置し、収納箱体の底板の滑槽内部に設置でき、引き出しを引き出す時、滑槽前端部の停止を受けて、引き出しが防滑効果を達成する。また、引き出しを引き出す時、底板の凸部により引き出しを上に引き、挟角を生成して、引き出しが円滑、完全に引き出せる。
【図面の簡単な説明】
【０００６】
【図１】本考案の引き出しと収納箱体の立体外観図である。
【図２】本考案の引き出しと収納箱体の立体分解図である。
【図２−１】図２の引き出しの凸部の局部拡大図である。
【図３】本考案の引き出しと収納箱体の組み合わせ断面図である。
【図４】本考案の引き出しと収納箱体の使用状態図である。
【図５】本考案の引き出しと収納箱体のもう一つの使用状態図である。
【考案を実施するための形態】
【０００７】
以下、添付図面を参照して本考案の実施の形態を詳細に説明する。
【実施例１】
【０００８】
図１〜図３で示されるように、本考案の収納箱体１０は、底板
１１、複数の支承素子１２、上板素子１３を組み合わせてなる。引き出し２０は収納箱体１０の容置空間１４に入れられ、底板１４上方両側は滑槽１１１を設置し、且つ、底板１１上方の滑槽１１１前端の一側に凸体１１２を設置し、凸体１１２は半円形状である。引き出し底面の両側後方は凸部２１を形成し、且つ、引き出し２０底部は複数の補強リブを設置する。
組み合わせ構造が図３で示され、引き出し２０を収納箱体１０の容置空間１４に入れる時、引き出し２０の凸部２１は底板１１の滑槽１１１内部に設置され、引き出し２０を引き出す時、滑槽１１１前端部１１１１の停止作用を受けて、引き出し２０の防滑効果を達成する。また、引き出し２０の引き出し時、底板１１の凸体１１２により引き出し２０を上に引いて、挟角を生成し、引き出し２０を円滑、完全に引き出す効果を達成する。
【０００９】
本考案の実施方式が図４で示され、引き出し２０を収納箱１０の容置空間１４に入れる時、引き出し２０の凸部２１が底板１１の滑槽１１１内部に設置されて、引き出し２０の引き出し時に、滑槽１１１前端部１１１１の停止作用を受けて、引き出し２０の防滑効果が達成される。
【実施例２】
【００１０】
本考案のもう一つの実施方式が図５で示され、引き出し２０を収納箱体１０から出したいとき、底板１１の凸体１１２により引き出し２０を上に引き、挟角を生成すると、引き出し２０が円滑、完全に引き出される。
【００１１】
本考案により、以下のような長所が得られる。
引き出し底面に凸部を設置し、収納箱体の底板の滑槽内部に設置でき、引き出しを引き出す時、滑槽前端部の停止を受けて、引き出しが防滑効果を達成する。また、引き出しを引き出す時、底板の凸体により引き出しを上に引き、挟角を生成して、引き出しが円滑、完全に引き出せる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１２】
１０      収納箱体
１１      底板
１１１    滑槽
１１１１  前端部
１２      支承素子
１１２    凸体
１３      上板素子
１４      容置空間
２０      引き出し
２１      凸部
【図１】
0003150377.tif 000003
【図２】
0003150377.tif 000004
【図２−１】
0003150377.tif 000005
【図３】
0003150377.tif 000006
【図４】
0003150377.tif 000007
【図５】
0003150377.tif 000008